(57)【要約】【課題】玄関ドアのポスト口を、フレーム体の材料を自由に選択できるものでありながら、防火性能を備えたものとする。【解決手段】ドア体１に開設した開口部Ｈに設けられるポスト口Ｐを、開口部四周のドア厚内に、ドア体の屋内外の面板に沿って設けられる鋼製の骨材３、４と、開口部Ｈの屋内外の周縁部に設けられる一対の屋内外用の各フレーム体５、８と、これら各フレーム体５、８にそれぞれ揺動自在に設けられ、開口部を屋内外において開閉する屋内外用の各蓋体６、９とにより構成し、屋内用フレーム体５と屋内用蓋体６とを鋼製とし、屋内用フレーム体５と屋外用フレーム体８とを、開口部Ｈの周縁部を挟む状態で複数の第一螺子１１で緊締して開口部周縁部に挟持状に固定するとともに、屋内用フレーム体５と骨材３とを少なくとも二箇所において第二螺子１２を用いて固定する構成とする。【選択図】図６
2010234089.tif 000002
【特許請求の範囲】
【請求項１】
ドア体に開設した開口部に設けられるポスト口を、開口部四周のドア厚内に、ドア体の屋内外の面板に沿って設けられる鋼製の骨材と、開口部の屋内外の周縁部に設けられる一対の屋内外用の各フレーム体と、これら各フレーム体にそれぞれ揺動自在に設けられ、開口部を屋内外において開閉する屋内外用の各蓋体とにより構成するにあたり、屋内用フレーム体と屋内用蓋体とを鋼製とし、屋内用フレーム体と屋外用フレーム体とを、開口部の周縁部を挟む状態で複数の第一螺子で緊締して両フレーム体を開口部周縁部に挟持状に固定するとともに、屋内用フレーム体と骨材とを少なくとも二箇所において第二螺子を用いて固定する構成としたことを特徴とする玄関ドアにおける防火ポスト口。
【請求項２】
第二螺子による屋内用フレーム体と骨材との固定は、開口部をあいだに挟んだ二箇所であることを特徴とする請求項１記載の玄関ドアにおける防火ポスト口。
【請求項３】
第二螺子による屋内用フレーム体と骨材との開口部を挟んだ二箇所の固定は、第二螺子が、上下二箇所である場合は開口部左右方向同位置での固定であり、左右二箇所である場合は開口部上下方向同位置での固定であることを特徴とする請求項２記載の玄関ドアにおける防火ポスト口。
【請求項４】
屋内用フレーム体と骨材とを固定する第二螺子は、閉鎖姿勢の屋内用蓋体から露出していることを特徴とする請求項１乃至３のうちの何れか１記載の玄関ドアにおける防火ポスト口。
【請求項５】
付勢弾機は第二螺子をあいだに挟んだ左右二箇所または上下二箇所に設けられることを特徴とする請求項３または４記載の玄関ドアにおける防火ポスト口。
【発明の詳細な説明】
【技術分野】
【０００１】
本発明は、集合住宅等に設けられる玄関ドアにおける防火ポスト口の技術分野に関するものである。
【背景技術】
【０００２】
一般に、集合住宅等に設けられる玄関ドアのなかには、ドア体の適宜箇所に開口部を開設し、該開口部に開閉自在な蓋体を備えたポスト口を設けて、外部から挿し込まれる新聞や郵便物等の配布物を屋内側から受け取ることができるようにしたものがある。このようなものにおいて、ポスト口を、開口部四周のドア厚内に設けられる骨材と、開口部の屋内外の周縁部にそれぞれ設けられる一対の屋内用、屋外用の各フレーム体と、これら各フレーム体にそれぞれ揺動自在に設けられ、開口部を屋内外において開閉する屋内用、屋外用の各蓋体とにより構成し、屋内外の各フレーム体を開口部の屋内外に突当てて、これらフレーム体同士を、開口部の周縁部を挟む状態で複数の螺子で緊締することで、両フレーム体が開口部の周縁部に挟持状に固定されるようにしたものが提唱されており、これによって、屋内外の各蓋体がそれぞれ個別に開口部を開閉することで、配布物の屋内側への差込みを許容しながら、屋内外が連通状態とならないようにして断熱性、遮音性が損なわれるのを防止している。
【先行技術文献】
【特許文献】
【０００３】
【特許文献１】実公平３−２１６６５号公報
【特許文献２】特許第３９２７１９１号公報
【発明の概要】
【発明が解決しようとする課題】
【０００４】
しかしながら、前記各従来のものは、前述したように、フレーム体同士が螺子の緊締により開口部周縁部に挟持状に固定される構成である。このため、フレーム体の屋内外何れか一方のものを耐火性能のない材料で形成し、火災の発生等により前記一方のフレーム体が焼け落ちた場合では、他方のフレーム体との螺子による緊締が解除されて開口部周縁部への挟持状の固定が解消される。このようになると、他方のフレーム体が開口部から脱落してドア体に開設された開口部が屋内外を連通する状態となるため、ドア体を鋼製としても防火仕様とすることはできない。そこで、前記従来の構成のポスト口を設けたドア体を防火仕様とする場合では、ポスト口の両フレーム体を耐火性能を備えた鋼製材料を用いて形成しなければならず、フレーム体の材料を自由に選択することができないという問題があり、ここに本発明の解決すべき課題がある。
【課題を解決するための手段】
【０００５】
本発明は、上記の如き実情に鑑みこれらの課題を解決することを目的として創作されたものであって、請求項１の発明は、ドア体に開設した開口部に設けられるポスト口を、開口部四周のドア厚内に、ドア体の屋内外の面板に沿って設けられる鋼製の骨材と、開口部の屋内外の周縁部に設けられる一対の屋内外用の各フレーム体と、これら各フレーム体にそれぞれ揺動自在に設けられ、開口部を屋内外において開閉する屋内外用の各蓋体とにより構成するにあたり、屋内用フレーム体と屋内用蓋体とを鋼製とし、屋内用フレーム体と屋外用フレーム体とを、開口部の周縁部を挟む状態で複数の第一螺子で緊締して両フレーム体を開口部周縁部に挟持状に固定するとともに、屋内用フレーム体と骨材とを少なくとも二箇所において第二螺子を用いて固定する構成としたことを特徴とする玄関ドアにおける防火ポスト口である。
請求項２の発明は、第二螺子による屋内用フレーム体と骨材との固定は、開口部をあいだに挟んだ二箇所であることを特徴とする請求項１記載の玄関ドアにおける防火ポスト口である。
請求項３の発明は、第二螺子による屋内用フレーム体と骨材との開口部を挟んだ二箇所の固定は、第二螺子が、上下二箇所である場合は開口部左右方向同位置での固定であり、左右二箇所である場合は開口部上下方向同位置での固定であることを特徴とする請求項２記載の玄関ドアにおける防火ポスト口である。
請求項４の発明は、屋内用フレーム体と骨材とを固定する第二螺子は、閉鎖姿勢の屋内用蓋体から露出していることを特徴とする請求項１乃至３のうちの何れか１記載の玄関ドアにおける防火ポスト口である。
請求項５の発明は、付勢弾機は第二螺子をあいだに挟んだ左右二箇所または上下二箇所に設けられることを特徴とする請求項３または４記載の玄関ドアにおける防火ポスト口である。
【発明の効果】
【０００６】
請求項１の発明とすることにより、屋内用フレーム体が火災時に脱落してしまうことを防止できてポスト口を防火仕様とすることができるものでありながら、屋外用フレーム体および屋外用蓋体の材料を自由に選択することができる。
請求項２または３の発明とすることにより、屋内用フレーム体の火災による脱落変形の防止をより確実化でき、防火仕様を高めることができる。
請求項４の発明とすることにより、開口部の閉鎖状態の維持がより確実なものとなって防火性能を高めることができる。
請求項５の発明とすることにより、広い範囲に付勢力が働くため、開口部の閉鎖状態の維持がより確実なものとなって防火性能をさらに高めることができる。
【図面の簡単な説明】
【０００７】
【図１】第一の実施の形態における要部の斜視図である。
【図２】図２（Ａ）、（Ｂ）はそれぞれ第一の実施の形態におけるポスト口の屋内側からの正面図、側面図である。
【図３】図３（Ａ）、（Ｂ）、（Ｃ）はそれぞれ第一の実施の形態における骨材の正面図、図３（Ａ）のＸ−Ｘ断面図、図３（Ａ）のＹ−Ｙ断面図である。
【図４】図４（Ａ）、（Ｂ）、（Ｃ）はそれぞれ第一の実施の形態における屋内用フレーム体と屋内用蓋体との構成を説明する屋内側からの正面図、底面図、背面図である。
【図５】図５（Ａ）、（Ｂ）、（Ｃ）、（Ｄ）はそれぞれ第一の実施の形態における屋外用フレーム体と屋外用蓋体との構成を説明する屋外側からの正面図、底面図、背面図、側面図である。
【図６】図２（Ａ）におけるＸ−Ｘ断面図である。
【図７】図７（Ａ）、（Ｂ）はそれぞれ第二の実施の形態におけるポスト口の屋内側からの正面図、一部断面側面図である。
【図８】図８（Ａ）、（Ｂ）、（Ｃ）、（Ｄ）はそれぞれ第二の実施の形態における屋内用フレーム体と屋内用蓋体との構成を説明する屋内側からの正面図、底面図、背面図、側面図である。
【図９】図７（Ａ）におけるＸ−Ｘ断面図である。
【発明を実施するための形態】
【０００８】
以下、本発明の第一の実施の形態について、図面に基づいて説明する。
図面において、１は集合住宅の玄関ドアを構成するドア体であって、該ドア体１は、鋼材で形成された屋内外一対の面板１ａ、１ｂと、これら屋内外面板１ａ、１ｂ同士の間に介装されるコア材（例えばペーパーコア）１ｃとを備え、防火機能を備えた防火ドアに構成されている。前記ドア体１の適宜箇所（下方部位）には横長四角形状の開口部Ｈが屋内外方向に貫通する状態で開設されており、該開口部Ｈに、本発明が実施されたポスト口Ｐが設けられ、ドア体１の屋外側から挿し込まれた新聞や郵便物等の配布物を屋内側に挿し入れることができるように構成されている。
尚、２は、ポスト口Ｐに挿し入れられた配布物を収容するべくドア体１の屋内側に設けられるポスト受けケースであって、該ポスト受けケース２は、ドア体１の屋内面板１ａに固定されるケース本体２ａと、該ケース本体２ａの下方部位に揺動自在に連結されて、ケース本体２ａの下方部位を開閉する開閉体２ｂとにより構成されている。そして、開閉体２ｂは、施錠具２ｃを操作して屋内側に引寄せることで、開閉体２ｂを開放し、ケース本体２ａに挿し入れられた配布物を取出すことができるように構成されている。
【０００９】
前記ドア体１の開口部Ｈの四周となるドア厚内には、ポスト口Ｐを構成する骨材が組込まれている。前記骨材は、図３に示すように、上下一対の横骨材３と、左右一対の縦骨材４とを四角形状に一体的に連結することにより構成されている。これら各骨材３、４は、それぞれ平板状の鋼材を折曲して一対の脚片３ａ、４ａとこれら脚片３ａ、４ａを連結する連結片３ｂ、４ｂとを備えたＣ形状に形成されている。そして、各骨材３、４を開口部Ｈに組込んだとき、連結片３ｂ、４ｂは開口部Ｈに臨むコア材１ｃを覆い、連結片３ｂ、４ｂが開口部Ｈの四周縁部を構成するように構成されている。また、各骨材３、４の各脚片３ａ、４ａはドア体１の屋内外面板１ａ、１ｂの各内側面に沿う状態となるように構成されている。さらに、上下の横骨材３の開口部Ｈ側（内側）部位には、それぞれ左右二箇所（都合四箇所）において、脚片３ａと連結片３ｂとのコーナー部を切欠くことにより、ドア厚方向に貫通する切欠き凹部３ｃが形成されている。さらに、左右の縦骨材４の開口部Ｈ側（内側）部位には、それぞれ上下一箇所（都合二箇所）において、脚片４ａと連結片４ｂとのコーナー部を切欠くことにより、ドア厚方向に貫通する切欠き凹部４ｃが形成されている。
また、前記ドア体１に開設される開口部Ｈは、前記横、縦骨材３、４の切欠き凹部３ｃ、４ｃに対向する部位の屋内外面板１ａ、１ｂおよびコア材１ｃが、それぞれ切欠き凹部３ｃ、４ｃに連通するように切欠かれており、これによって、開口部Ｈには、周縁部から左右方向外方および上下方向外方に退避する凹部Ｒが形成されるように構成されている。
【００１０】
そして、開口部Ｈの屋内側の周縁部には、それぞれ鋼材で形成された屋内用フレーム体５と、該屋内用フレーム体５に形成される開口を開閉する屋内用蓋体６とが設けられている。
前記屋内用フレーム体５は、図４に示すように、中央に開口部Ｈと略同形状の開口が形成されることで、開口部Ｈをあいだに挟む上下左右の平板プレート状の四角枠に形成された屋内用ベース片５ａを備えて構成されている。前記屋内用ベース片５ａの上下の枠内側端縁部には、それぞれ屋外側に向けて突出する上下一対の上下リブ片５ｂが折曲形成されている。さらに、屋内用ベース片５ａの左右の枠内側端縁部には、それぞれ屋外側に向けて突出する左右一対の左右リブ片５ｃが一体的に固定されている。そして、屋内用ベース片５ａを開口部Ｈ周縁部の屋内面板１ａに屋内側から突当てたとき、図６に示すように、上下リブ片５ｂと左右リブ片５ｃとは、それぞれ開口部Ｈを構成する横骨材連結片３ｂ、縦骨材連結片４ｂに沿って開口部Ｈ内に嵌入し、嵌入先端部がドア厚方向中間部に達するように構成されている。また、屋内用ベース片５ａは、縦、横骨材３、４の切欠き凹部３ｃ、４ｃに対向する部位、即ち、上下部位における左右端部、左右部位における上下方向中間部の都合六箇所に位置して、第一螺子挿通孔５ｄがそれぞれ開設されている。さらに、屋内用ベース片５ａの上下部位における左右方向中央部位の二箇所に位置して第二螺子挿通孔５ｅがそれぞれ開設されている。
さらに、屋内用ベース片５ａの上部には、中央部に位置して上方に突出する取付け片５ｆが形成されており、該取付け片５ｆの左右両端部には屋内側に向けて突出する一対の支持片５ｇがそれぞれ折曲形成されている。
【００１１】
前記屋内用蓋体６は平板プレート状に形成されており、屋内用フレーム体５の開口（屋内用フレーム体５により囲繞される開口部Ｈ）を覆蓋する形状に形成されている。そして、屋内用蓋体６の上部の左右方向二箇所には上方に突出する一対の突片６ａが形成されており、これら突片６ａは、屋内用ベース片５ａの上部に形成された一対の取付け片５ｆの左右端部にそれぞれ左右方向外方から隣接するように構成されている。これら各突片６ａの左右方向内端部には、取付け片５ｆに突設された支持片５ｇに積層する支持受け片６ｂが屋内側に向けて突出するよう折曲形成されている。そして、屋内用蓋体６は、一対の支持片５ｇと一対の支持受け片６ｂとに連通状に貫通する枢支ピン７により、屋内用フレーム体５に対して揺動自在に連結されている。また、枢支ピン７には付勢弾機７ａが外嵌されており、付勢弾機７ａの一端部は取付け片５ｆに固定され、付勢弾機７ａの他端部は屋内用蓋体６に屋内側から押し当てられている。これによって、屋内側蓋体６は、屋内用フレーム体５に押し付けられて開口部Ｈを閉鎖する閉鎖姿勢に付勢され、屋内用蓋体６を閉鎖姿勢に保持するように構成されている。そして、屋内用蓋体６は、屋外側から押圧される負荷が作用することにより、付勢弾機７ａの付勢力に抗して開放姿勢となるように構成されている。
【００１２】
一方、開口部Ｈの屋外側の周縁部には、それぞれアルミ材で形成された屋外用フレーム体８と、該屋外用フレーム体８に形成される開口を開閉する屋外用蓋体９とが設けられている。
前記屋外用フレーム体８は、図５に示すように、開口部Ｈと略同形状の開口が形成された平板プレート状の四角枠に形成された屋外用ベース片８ａを備えて構成されている。前記屋外用ベース片８ａの枠内側端縁部には、屋内側に突出する四角筒状の第一、第二リブ片８ｂ、８ｃが一体形成され、開口部Ｈを構成する横骨材連結片３ｂ、縦骨材連結片４ｂに沿って開口部Ｈのドア厚内に嵌入するように構成されている。前記第一、第二リブ片８ｂ、８ｃは筒孔の内外方向に段差状に形成されており、筒外側が第一リブ片８ｂ、筒内側が第二リブ片８ｃに構成されている。
【００１３】
そして、屋外用ベース片８ａを開口部Ｈ周縁部の屋外面板１ｂに屋外側から突当てたとき、図６に示すように、筒外側の第一リブ８ｂは嵌入先端部がドア厚方向中間部に達して、屋内用フレーム体５の上下、左右のリブ片５ｂ、５ｃにドア厚方向に近接対向する位置関係となる長さに形成されている。また、筒内側の第二リブ８ｃは、前記上下、左右のリブ片５ｂ、５ｃの内側に積層する状態となるよう屋内側に向けて長く形成されている。さらに、前記屋外用ベース片８ａには、屋内用ベース片５ａに形成された第一螺子挿通孔５ｄに対向する部位、即ち、上下部位における左右端部、左右部位における上下方向中間部の都合六箇所に位置して、螺子溝が刻設された筒状の螺子受け体８ｄが屋内側に向けて突出形成されている。そして、これら六箇所の螺子受け体８ｄは、縦横骨材３、４の切欠き凹部３ｃ、４ｃに連通し、開口部Ｈから左右方向外方および上下方向外方に退避するように形成された凹部Ｒに遊嵌状に嵌入して、螺子受け体８ｄが開口部Ｈ内に突出することがないように構成されている。
さらに、屋外用フレーム体８は、屋外用ベース片８ａの上端部に位置して前方に突出する支持片８ｅが形成されているが、支持片８ｅは、左右方向に所定間隙を存して三つに分割されている。
【００１４】
前記屋外用蓋体９は、屋外用フレーム体８の開口（屋外用フレーム体８により囲繞される開口部Ｈ）を覆蓋することができる外形状を有し、屋外側から屋外用フレーム体８に積層することで、開口部Ｈを覆蓋するボックス状のフード体に形成されている。前記屋外用蓋体９は、屋外用フレーム体８の外形状と略同形状に形成されたフード本体部９ａと、該フード本体部９ａの四周縁部から屋内側に突出する側片部９ｂとにより構成されており、上側の側片部９ｂには、上方に突出する揺動片９ｃが左右方向適間隔を存して二箇所に形成されている。そして、屋外用蓋体９は、前記二つの揺動片９ｃを屋外用フレーム体８の屋外用ベース片８ａ上部の支持片８ｅ同士の間に嵌入させ、枢支ピン１０を支持片８ｅと揺動片９ａとに連通状に貫通することにより、屋外用フレーム体８の屋外側において屋外用蓋体９が上下方向に開閉揺動するように構成されている。
【００１５】
このように構成された屋外用蓋体９は、自重で下方揺動して閉鎖姿勢となることにより、側片部９ｂの屋内側端面が開口部Ｈ四周よりも外側となる屋外用ベース片８ａの外側部位に当接して開口部Ｈを塞ぐように構成されている。これによって、開口部Ｈが屋外用蓋体９により確実に覆蓋されて、従来のように屋外用フレーム体と屋外用蓋体とのあいだに隙間が形成されることがなく、断熱、遮音性の向上を図ることができ、しかも、屋外側から強風が吹き付けたような場合であっても隙間が大きくなるような不具合がなく、開口部に形成される隙間によって発生する異音を防止できるように構成されている。また、前記閉鎖姿勢の屋外用蓋体９は、屋外用蓋体９の下面に形成された凹部９ｄを手掛けとして把持し、図５（Ｄ）の仮想線で示すように上方揺動させることにより、開口部Ｈを屋外側に露出させる開放姿勢となり、この状態で新聞や郵便物等の配布物を開口部Ｈに挿し入れることができるように構成されている。この場合に、屋外用蓋体９は、開口部Ｈの外周において塞ぐ大型となって断熱、防音性能を確保しているが、屋外用蓋体９の材料をアルミ製とすることにより軽量化を図ることができており、屋外用蓋体９の開閉操作が円滑、かつ、軽快になるように構成されている。
【００１６】
そして、屋内外用フレーム体５、８とは、両者をそれぞれ開口部Ｈ周縁部の屋内外面板１ａ、１ｂに突当て、屋内用フレーム体５の都合六箇所に形成された第一螺子挿通孔５ｄにそれぞれ本発明の第一螺子１１を挿通し、これら第一螺子１１を、屋外用フレーム体８の螺子受け体８ｄに螺合し、開口部Ｈの周縁部に位置する横、縦骨材３、４の脚片３ａ、４ａを挟持する状態となるよう緊締することにより、屋内外用フレーム体５、８がドア体１（開口部Ｈ周縁部）に固定されるように構成されている。この場合に、第一螺子１１による屋内外用フレーム体５、８同士の連結部は、開口部Ｈの内側ではなく周縁部に位置することになり、従来の連結部が開口部Ｈの内方に突出するもののように、配布物が連結部に引っ掛かって挿し込み難くなるような不具合をなくすことができるように構成されている。
【００１７】
このように、ポスト口Ｐは、屋内外用の各フレーム体５、８同士を第一螺子１１により緊締することで開口部Ｈの周縁部に挟持状に固定されるものであるが、本発明の鋼材で形成される屋内用フレーム体５は、さらに、第二螺子１２を用いて鋼材で形成される上下の横骨材３の脚片３ａの二箇所において螺着固定されている。つまり、屋内用ベース片５ａの上下部位の第二螺子挿通孔５ｅは上下の横骨材３の脚片３ａに対向しており、第二螺子挿通孔５ｅから螺入させた第二螺子１２（タッピン螺子）を前記脚片３ａに螺入することにより屋内用ベース片５ａと脚片３ａとが一体化されるように構成されている。これによって、ともに鋼材で形成される屋内用フレーム体５と横骨材３とが上下二箇所において螺着されて、アルミ製の屋外用フレーム体８と蓋体９とが焼け落ちて（脱落して）第一螺子１１の緊締に基づく開口部Ｈ周縁部への挟持状の固定が解消されたとしても、第二螺子１２を介して屋内用フレーム体５を鋼製の横骨材３に固定した状態に維持することができ、開口部Ｈを屋内用蓋体６により閉鎖した状態が維持され、防火性能を発揮できるように構成されている。
【００１８】
叙述の如く構成された本発明の第一の実施の形態において、ドア体１に設けられるポスト口Ｐは、屋内外用のフレーム体５、８と、これらフレーム体５、８に開閉揺動自在に設けられた屋内外用の蓋体６、９とを備えて構成され、屋内外フレーム体５、８同士を第一螺子１１により緊締することで、これらフレーム体５、８を開口部Ｈ周縁部に挟持状に固定することができる。このものにおいて、屋内用フレーム体５と屋内用蓋体６とは火災時に焼け落ちることのない防火性能を有した鋼材で形成されており、しかも、屋内用フレーム体５が横骨材３に第二螺子１２を用いて螺着されているので、屋外用フレーム体８と屋外用蓋体９とを防火性能の低いアルミ製として、火災時に屋外用フレーム体８と屋外用蓋体９とが焼け落ちて、第一螺子１１に基づく屋内外用フレーム体５、８同士の開口部Ｈ周縁部への挟持状の固定が解消されたとしても、開口部Ｈが屋内用蓋体６により閉鎖された状態を維持することができ、この結果、このようなポスト口Ｐを鋼製のドア体１に設けることにより防火仕様とすることができる。このように、防火性能を備えたポスト口を形成するにあたり、屋外用フレーム体８および屋外用蓋体９の材料を防火性能のあるものに限定する必要がなく、これらの材料の選択の自由度が向上するので、屋外用蓋体９の形状を断熱、遮音性を高めるべく大型化する場合でも、軽量化された材料を用いることが可能となり、ポスト口Ｐの機能性の改善、意匠性の改善を期待できる。
【００１９】
しかもこのものでは、開口部Ｈをあいだに挟んだ上下二箇所の屋内用ベース片５ａに設けた第二螺子挿通孔５ｅに第二螺子１２を螺入することで屋内用フレーム体５と骨材３とを一体に螺着しているから、火災で熱を受けて屋内用フレーム体５が変形したときに、この屋内用フレーム体５の変形は開口部Ｈをあいだに挟む変形となって、屋内用フレーム体５と開口部Ｈの周縁部または屋内用面板１ａとのあいだに隙間が形成されにくく、さらに、屋内用フレーム体５と屋内用蓋体６とのあいだに隙間が形成されにくいため防火性が向上する。
そのうえこの上下の第二螺子１２による固定位置が、屋内用フレーム体５の左右方向同位置であって、かつ左右方向中央位置であるため、前記屋内用フレーム体５の熱による変形は、第二螺子１２を基準にして左右方向の変形がそれぞれ殆ど同じ状態となって、より隙間が形成されにくくなり、防火性能を高めることができる。
【００２０】
ところで従来のものは、両フレーム体を一体的に連結する連結部がドア体に開設される開口部の内側のスペースに設けられる構成であるため、連結部が開口部内に突出する状態となり、連結部に新聞等の配布物が引っ掛かる等して挿し込み難くなるような惧れもあって問題がある。しかし、本発明が実施されたものにあっては、第一螺子１１による屋内外用フレーム体５、８同士の連結を、開口部Ｈの周縁部において行なう構成としたので、連結部が開口部の内方に突出する従来のもののように、配布物が連結部に引っ掛かって挿し込み難くなるような不具合を防止することができる。
【００２１】
次ぎに、本発明の第二の実施の形態について、図７〜９に基づいて説明する。なお、本実施の形態において、ドア体１、ポスト受けケース２、横骨材３、縦骨材４、屋外用フレーム体８、屋外用蓋体９、枢支ピン１０、第一螺子１１、第二螺子１２、開口部Ｈは第一の実施の形態と同じものを用いることができるため、説明を省略する。
【００２２】
ドア体１の開口部Ｈの屋内側の周縁部には、それぞれ鋼材で形成された屋内用フレーム体１０５と、該屋内用フレーム体１０５に形成される開口を開閉する屋内用蓋体１０６とが設けられている。
前記屋内用フレーム体１０５には、図８に示すように、中央に開口部Ｈと略同形状の開口が形成された平板プレート状の略四角枠に形成された屋内用ベース片１０５ａを備えて構成されている。そして、該屋内用ベース片１０５ａの上端であって、後述する上側第一螺子挿通孔１０５ｈに対応した位置に上側突片１０５ｊが延出形成されている。さらに、前記屋内用ベース片１０５ａの下端には、後述する下側第一螺子挿通孔１０５ｉ及び第二螺子挿通孔１０５ｅに対応する下側突片１０５ｋが延出形成されており、これによって第二螺子挿通孔１０５ｅに螺入する第二螺子１２が屋内用蓋体１０６と重なり合うことがなく、第二螺子１２の螺子頭が屋内用蓋体１０６から屋内側に露出するようになっている。
さらに、前記屋内用ベース片１０５ａには、上下リブ片１０５ｂ、左右リブ片１０５ｃが設けられているが、これらは第一の実施の形態のものと同じ形態とすることができるので説明を省略する。
また、屋内用ベース片１０５ａは、縦、横骨材３、４の切欠き凹部３ｃ、４ｃに対向する部位の都合六箇所、即ち、上部位における左右端部には上側第一螺子挿通孔１０５ｈが、下部位における左右端部には下側第一螺子挿通孔１０５ｉが、左右部位における上下方向中間部には二つの左右第一螺子挿通孔１０５ｄがそれぞれ開設されている。さらに、屋内用ベース片１０５ａの開口部Ｈをあいだに挟む上下部位における左右方向中央部位の二箇所に位置して第二螺子挿通孔１０５ｅがそれぞれ開設されている。
さらに、屋内用ベース片１０５ａの上部には、中央部に位置して上方に突出する取付け片１０５ｆが形成されており、該取付け片１０５ｆの左右両端部には屋内側に向けて突出する一対の支持片１０５ｇがそれぞれ折曲形成されている。
【００２３】
屋内用蓋体１０６は平板プレート状に形成されており、屋内用フレーム体１０５の開口（屋内用フレーム体１０５により囲繞される開口部Ｈ）を覆蓋する形状に形成されている。そして、屋内用蓋体１０６の上部の左右方向二箇所には上方に突出する一対の突片１０６ａが形成されており、これら突片１０６ａは、屋内用ベース片１０５ａの上部に形成された一対の取付け片１０５ｆの左右端部にそれぞれ左右方向外方から隣接するように構成されている。これら各突片１０６ａの左右方向内端部には、取付け片１０５ｆに突設された支持片１０５ｇに積層する支持受け片１０６ｂが屋内側に向けて突出するよう折曲形成されている。さらに、屋内用蓋体１０６の上端であって、前記屋内片１０５ａの上側の第二螺子挿通孔１０５ｅに対応する位置に、該第二螺子挿通孔１０５ｅに対応する部分を切り欠いた凹部１０６ｃが切り欠き形成されており、これによって第二螺子挿通孔１０５ｅに螺入する第二螺子１２は屋内用蓋体１０６と重なり合うことがなく、第二螺子１２の螺子頭は屋内用蓋体１０６から屋内側に露出するようになっている。
そして、屋内用蓋体１０６は、一対の支持片１０５ｇと一対の支持受け片１０６ｂとに連通状に貫通する枢支ピン１０７により、屋内用フレーム体１０５に対して揺動自在に連結されている。そしてこのこの状態で、屋内用蓋体１０６は自重によって開口部Ｈを閉鎖する閉鎖姿勢を保持するように構成されている。
さらに、枢支ピン１０７には前記第二螺子挿通孔１０５ｅよりも左右方向外側位置の二箇所に付勢弾機１０７ａが外嵌されており、付勢弾機１０７ａの一端部は取付け片１０５ｆに固定され、他端部は屋内用蓋体１０６に屋内側から押し当てられている。これによって、屋内側蓋体１０６は、屋内用フレーム体１０５に押し付けられて開口部Ｈを閉鎖する閉鎖姿勢に付勢され、屋内用蓋体１０６の閉鎖姿勢がより確実な状態で保持できるように構成されている。そして、屋内用蓋体１０６は、屋外側から押圧される負荷が作用することにより、付勢弾機１０７ａの付勢力に抗して開放姿勢となるように構成されている。
しかも、第二の実施の形態において、付勢弾機１０７ａは、第二螺子挿通孔１０５ｅよりも外側左右二箇所に設けているため、屋内用蓋体１０６を閉鎖姿勢に付勢する付勢力が左右に略均等に分散されるものとなって該屋内用蓋体１０６の閉鎖姿勢の保持がより一層確実なものとなるよう構成されている。
【００２４】
そして、ポスト口Ｐは、屋内外用の各フレーム体１０５、８同士を第一螺子１１により緊締することで開口部Ｈの周縁部に挟持状に固定されているが、この固定は第一の実施の形態と同じであるので説明を省略する。
【００２５】
屋内用フレーム体１０５は、さらに第二螺子１２を用いて鋼材で形成される上下の横骨材３の脚片３ａの二箇所において螺着固定されている。つまり、屋内用ベース片１０５ａの上下部位の第二螺子挿通孔１０５ｅは、上下の横骨材３の脚片３ａに対向しており、第二螺子挿通孔１０５ｅから螺入させた第二螺子１２（タッピン螺子）を前記脚片３ａに螺入することにより屋内用ベース片１０５ａと脚片３ａとが一体化されるように構成されている。
このように、ともに鋼材で形成される屋内用フレーム体１０５と横骨材３とが上下二箇所において螺着されている結果、アルミ製の屋外用フレーム体８と蓋体９とが火災により焼け落ちて（脱落して）第一螺子１１の緊締に基づく開口部Ｈ周縁部への挟持状の固定が解消されたとしても、第二螺子１２を介して屋内用フレーム体１０５を鋼製の横骨材３に固定した状態に維持することができることになって、開口部Ｈを屋内用蓋体１０６により閉鎖した状態が維持され、防火性能を発揮できるように構成されている。
さらに、第二の実施の形態において、上側の第二螺子１２は屋内用蓋体凹部１０６ｃに対応する位置に、下側の第二螺子１２は屋内用蓋体１０６の下端部よりも下側位置に、それぞれ螺入されることになって、該第二螺子１２の頭部と屋内用蓋体１０６とが重なり合わないため干渉することがなく、これによって、第二螺子１２の頭部と屋内用蓋体１０６とが当接して屋内用蓋体１０６が屋内用フレーム体１０５に対して浮いて隙間ができてしまうということが生じず、屋内用蓋体１０６と屋内用フレーム体１０５とによる開口部Ｈの閉鎖がより確実なものとなって、防火性能をさらに発揮することができるように構成されている。
【００２６】
叙述の如く構成された第二の実施の形態において、屋内用フレーム体１０５が横骨材３に第二螺子１２を用いて螺着されるが、上側の第二螺子１２は屋内用蓋体の凹部１０６ｃ部分に、下側の第二螺子１２は屋内用蓋体１０６の下端縁よりも下側の部分に、それぞれ閉鎖姿勢の屋内用蓋体１０６から露出する状態で螺入することになって、これら第二螺子１２と屋内用蓋体１０６とが干渉することがない。そしてこれにより、屋内用フレーム体１０５と屋内用蓋体１０６とは、隙間がほとんどない当接状態で開口部Ｈを塞ぐことになって、火災時において、開口部Ｈの隙間を通しての類焼を防ぐことができる。
さらに、火災により屋外用フレーム体８と屋外用蓋体９とが焼け落ちて、第一螺子１１に基づく屋内外用フレーム体１０５、８同士の開口部Ｈ周縁部への挟持状の固定が解消されたとしても、屋内用フレーム体１０５は骨材３に螺着されているため開口部Ｈが屋内用蓋体１０６により閉鎖された状態を維持することができ、防火性を高めることになる。
しかもこのものにおいて、付勢弾機１０７ａは、上側第二螺子１２をあいだに挟んで左右方向両側に設けられているので、付勢弾機１０７ａによる屋内用蓋体１０６の閉鎖姿勢への付勢が左右に分散されて広範囲に付勢力が働くこととなって左右バランス化されるため、屋内用フレーム体１０５と屋内用蓋体１０６とは、隙間がほとんどない当接状態を維持することができることとなって、開口部Ｈの閉鎖された状態の維持をより確実なものとすることができる。
しかも、予め屋内用フレーム体１０５と屋内用蓋体１０６を一体化したものを第二螺子１２によって横骨材３に螺着固定することになるが、屋内用フレーム体１０５の下側突片１０５ｋ及び屋内用蓋体凹部１０６ｃを設け、上下一対の第二螺子挿入孔１０５ｅを、閉鎖姿勢の屋内用蓋体１０６から露出して干渉しない位置に形成している結果、上下一対の第二螺子挿入孔１０５ｅに螺入する第二螺子１２は、屋内用蓋体１０６を閉鎖姿勢にした状態で螺着作業ができることになって前記第二螺子１２による螺着固定を容易にすることができる。
【００２７】
なお、本発明は前記各実施の形態に限定されないことは勿論であって、屋内用フレーム体５（１０５）と骨材３とを固定するための第二螺子１２は、２本に限定されることなく、３本以上、適宜の数とすることができる。
さらにまた第二螺子１２による屋内用フレーム体５（１０５）と骨材３との固定位置は、開口部Ｈをあいだに挟んだ上下両側だけでなく左右両側としてもよい。第二螺子１２による上下両側での固定の場合、開口部Ｈの左右方向同位置であることに限定されることはなく、左右方向齟齬した位置とすることもできる。一方、第二螺子１２による左右両側での固定の場合、開口部Ｈの上下方向同位置であることに限定されることはなく、上下方向齟齬した位置とすることもできる。
【００２８】
さらに、前記各実施の形態において、屋内用蓋体６（１０６）は付勢弾機７ａ（１０７ａ）の付勢力によって閉鎖姿勢を保持できるように構成されているが、これに限定されることはなく、例えば屋内用蓋体６（１０６）の下端部分に錘を設けて閉鎖姿勢を保持できるように構成してもよい。
【産業上の利用可能性】
【００２９】
本発明は、集合住宅等に設けられる玄関ドアに設置されるポスト口に利用することができる。
【符号の説明】
【００３０】
１  ドア体
１ａ  屋内面板
２  ポスト受けケース
３  横骨材
３ｂ  連結片
４  縦骨材
５  屋内用フレーム体
５ａ  屋内用ベース片
５ｄ  第一螺子挿通孔
５ｅ  第二螺子挿通孔
６  屋内用蓋体
７  枢支ピン
８  屋外用フレーム体
８ａ  屋外用ベース片
８ｄ  螺子受け体
９  屋外用蓋体
１０  枢支ピン
１１  第一螺子
１２  第二螺子
【図１】
2010234089.tif 000003
【図２】
2010234089.tif 000004
【図３】
2010234089.tif 000005
【図４】
2010234089.tif 000006
【図５】
2010234089.tif 000007
【図６】
2010234089.tif 000008
【図７】
2010234089.tif 000009
【図８】
2010234089.tif 000010
【図９】
2010234089.tif 000011